(57)【要約】【課題】フック片が連結されたバンドを手首に装着し、そのフック片を例えば車内のつり革や掴み棒に引っ掛けることにより、手指の不自由な人や手指の力が衰えた老人などもつり革や掴み棒を掴みやすくなると共に長時間掴んでも疲れにくくなり、また、そのフック片に例えば鞄や買い物袋などの重い手荷物の把持部を引っ掛けることで把持部の一部が掌にくい込むのを防いで持ちやすくすると共に長時間持ち続けることが可能な把持補助具を提供することにある。【解決手段】手首に装着されるバンド２と、バンド２に基端側３１が連結され先端側３２がフック状になったフック片３とからなる。【選択図】        図１
0003137833.tif 000002
【実用新案登録請求の範囲】
【請求項１】
手首に装着されるバンドと、バンドに基端側が連結され先端側がフック状になったフック片とからなることを特徴とする把持補助具。
【請求項２】
フック片は掌の内側に入る大きさである請求項１記載の把持補助具。
【請求項３】
フック片の基端側はバンドに回転自在に連結されている請求項１記載の把持補助具。
【請求項４】
バンドにはフック片の基端側を回転自在に連結して軸支する軸止めが取り付けられ、バンドの一端側には上記軸止めに係止されるバンド孔が形成されている請求項１記載の把持補助具。
【請求項５】
フック片の幅は幅広で掴みやすい形状からなる請求項１記載の把持補助具。
【請求項６】
フック片のフック状の先端側の内側には滑り止め材が取り付けられている請求項１記載の把持補助具。
【請求項７】
フック片の厚み側には適度な膨隆が形成されている請求項１記載の把持補助具。
【考案の詳細な説明】
【技術分野】
【０００１】
この考案は、手指の不自由な人や手指の力が衰えた老人などが例えば電車やバスなどのつり革や掴み棒を掴んだり、例えば鞄や買い物袋などの重い手荷物を持ちやすくするために手首に装着して使用する把持補助具に関するものである。
【背景技術】
【０００２】
我々は日常生活において色々な物を手で掴んでいる。例えば、電車やバスなどには立っている人が移動中の車内で体のバランスを保つために、手で掴むつり革が車内の上部側に吊り下げられていたり、棒状の掴み棒が取り付けられていたりして、立っている人は転倒しないようにつり革や掴み棒を掴んでいる。同様に、例えば鞄やスーパーのレジ袋のような買い物袋などの手荷物にも、掌で掴んで持つための把手が設けられていて、この把手を掌で掴んで手荷物を持ち運んでいる。
【考案の開示】
【考案が解決しようとする課題】
【０００３】
しかしながら、手指の不自由な人は電車やバスなどのつり革や掴み棒を掴むのが困難である。手指の力が衰えた老人などもつり革や掴み棒を掴むのが困難であったり、長時間掴み続けることは困難である。また、鞄や買い物袋などの手荷物を長時間持ち続けると掌に持つ部分がくい込んだりして、手指の力が衰えた老人は勿論のこと、手指の力が衰えていない人も手指の力が弱って持ち続けることが困難である。
【０００４】
この考案は、上記のような課題に鑑み、その課題を解決すべく創案されたものであって、その目的とするところは、フック片が連結されたバンドを手首に装着し、そのフック片を例えば車内のつり革や掴み棒に引っ掛けることにより、手指の不自由な人や手指の力が衰えた老人などもつり革や掴み棒を掴みやすくなると共に長時間掴んでも疲れにくくなり、また、そのフック片に例えば鞄や買い物袋などの重い手荷物の把持部を引っ掛けることで把持部の一部が掌にくい込むのを防いで持ちやすくすると共に長時間持ち続けることが可能な把持補助具を提供することにある。
【課題を解決するための手段】
【０００５】
以上の目的を達成するために、請求項１の考案は、手首に装着されるバンドと、バンドに基端側が連結され先端側がフック状になったフック片との手段よりなるものである。
ここで、請求項１の好ましい態様として、フック片は掌の内側に入る大きさでもよい。また、フック片の基端側はバンドに回転自在に連結されていてもよい。また、バンドにはフック片の基端側を回転自在に連結して軸支する軸止めが取り付けられ、バンドの一端側には上記軸止めに係止されるバンド孔が形成されていてもよい。また、フック片の幅は幅広で掴みやすい形状からなっていてもよい。また、フック片のフック状の先端側の内側には滑り止め材が取り付けられていてもよい。さらにまた、フック片にはその厚み側に適度な膨隆が形成されていてもよい。
【考案の効果】
【０００６】
以上の記載より明らかなように、この考案に係る把持補助具によれば、フック片が連結されたバンドを手首に装着し、そのフック片を例えば車内のつり革に引っ掛けることにより或いは車内のあらゆる棒状の掴み棒に引っ掛けることにより、手指の不自由な人や手指の力が衰えた老人などもつり革や掴み棒を掴みやすくなる。しかもつり革や掴み棒を長時間掴んでも疲れにくくなる。これにより、手指の不自由な人や手指の力が衰えた老人などがつり革や掴み棒をしっかりと握れないことに起因して生じやすい移動中の車内での転倒事故などを未然に回避することが可能となる。
また、フック片が連結されたバンドを手首に装着し、そのフック片に例えば鞄や日常の買い物袋などの重い手荷物の把持部を引っ掛けることにより、把持部の一部が掌にくい込むのを防いで持ちやすくできる。しかも重い手荷物の把持部を長時間持ち続けることが可能になる。これにより、手指の不自由な人や手指の力が衰えた老人などでも、掌にくい込み易い手荷物の把持部を容易にしかも長時間持つことが可能となる。特に老人だけでの暮らしが増えている昨今では、日々の買い物でスーパーの重たいレジ袋の把持部を手指の力が衰えた老人が掌で掴んで家まで持ち運ぶ生活においては効果が絶大である等、極めて実用的有益なる効果を奏するものである。
【０００７】
また、請求項２のように、フック片が掌の内側に入る大きさである場合には、外側からは見えにくいので、例えばつり革や掴み棒或いは手荷物の把持部に掌内のフック片を引っ掛けても周囲の人々には気づかれることもない。従って、手指が不自由なことや手指の力が衰えたことを他人に察知されるという恥ずかしい思いをすることもない。
【０００８】
また、請求項３のように、フック片の基端側はバンドに回転自在に連結されている場合には、掌のフック片が邪魔になる場合にはバンドを外すことなく、基端側を中心にフック片を回すのみで、掌から邪魔にならない手首側にフック片を簡単に回転移動させることが可能となる。
【０００９】
また、請求項４のように、バンドにはフック片の基端側を回転自在に連結して軸支する軸止めが取り付けられ、バンドの一端側には上記軸止めに係止されるバンド孔が形成されている場合には、フック片を回転させるための軸止めを利用して、バンドの一端側を止めて手首に把持補助具を装着させることができる。
【００１０】
また、請求項５のように、フック片の幅は幅広で掴みやすい形状からなる場合には、幅広なフック片３を手指で掴みやすくなり、しかも外部からも見えるので、この場合にはアクセリー感覚で使用することができる。さらにこの場合には手指でもつより掴む方が把持力、引っ張り力が強い。
【００１１】
また、請求項６のように、フック片のフック状の先端側の内側に滑り止め材が取り付けられている場合には、引っ掛けたときに滑らないので、特に車内で使用するときにはつり革や掴み棒に安心して引っ掛けることができる。
【００１２】
また、請求項７のように、フック片の厚み側に適度な膨隆が形成されている場合には、つり革や掴み棒、手荷物の把持部を掴むときの安定性が増し、多少の”押す力”にも対応することができる。
【考案を実施するための最良の形態】
【００１３】
以下、図面に記載の考案を実施するための最良の形態に基づいて、この考案をより具体的に説明する。
ここで、図１（Ａ）は把持補助具の展開平面図、図１（Ｂ）は把持補助具の断面図、図１（Ｃ）はこの考案を実施するための最良の形態を示す把持補助具の他例の断面図、図２は把持補助具を使用してのつり革を掴んでいる時の正面図、図３は把持補助具を使用してのつり革を掴んでいる時の他例の正面図、図４は把持補助具を使用してのレジ袋の把持部を持っている時の正面図である。
【００１４】
図において、把持補助具１は、手指の不自由な人や手指の力が衰えた老人などが例えば電車やバスなどのつり革ａや図示しない掴み棒を掴んだり、例えば鞄や買い物袋などの重い手荷物を持つ場合に使用する器具で、手首に装着されるバンド２と、バンド２に基端側３１が連結され先端側３２がフック状になったフック片３とから主に構成されている。
【００１５】
バンド２は、例えばつり革ａや図示しない掴み棒を掴んだり、手荷物を持つ側の腕の手首に装着される。バンド２は平面状に展開した状態で例えば弧型の帯状の形状を有している。バンド２には装着時に手首に負担のかからない素材、例えば革製のものが使用されるが、これに限定されるものではない。特に手首装着時に手首の皮膚と接するバンド２の内側表面は皮膚を刺激しない素材、例えば布、ゴム、ウレタン、プラスチック、合成素材、金属、樹脂、合成繊維などで被覆されている。叉、バンド２の内側は汗をかくので、タオル生地や布などでカバー（もしくは裏打ち）でき、洗い替えができる。さらにまた、バンド２は、バンド２を手首に装着したときにあまり目立たない色、例えば肌色などが使用されているが、ブレスレットや腕時計などと同様に色々な色、形、デザインなどで造られていてもよい。
【００１６】
平面状に展開した状態で例えば弧型の帯状のバンド２は、その一端側２１にはバンド孔２２がその長さ方向に一定間隔をあけて複数形成されている。反対側となるバンド２の他端側２３には軸止め２４が取り付けられている。この軸止め２４にはフック片３の基端側３１が回転自在に軸支されている。
【００１７】
さらにこの軸止め２４の片面、つまりフック片３が取り付けられる側と反対側になる面には、バンド孔２２に挿通してバンド２の一端側２１を他端側２３に係止させる係止軸２５が一体的に形成されている。係止軸２５の先端側は基端側よりも直径が膨らんでいて例えば円形ボタン状の形状を有している。これはバンド孔２２から簡単に係止軸２５が抜けないようにするためである。つまり係止軸２５の先端の膨らんでいる部分がバンド孔２２の内周縁側に一部突出することで簡単に外れるのを防いでいる。
【００１８】
ところで、バンド２が弧型の帯状の形状を有するのは、バンド２を手首の周囲に回してその一端側２１を他端側２３に重ね合わせて、一端側２１のバンド孔２２を他端側２３の係止軸２５に係止させて結合して装着したときに、一端側２１と他端側２３とが結合した部分が掌側にＶ字状に入り込み易くするためである。
【００１９】
つまり、フック片３の先端側３２でつり革ａや図示しない掴み棒を引っ掛けたり、フック片３の先端側３２で手荷物の把持部ｂを吊り下げると、フック片３は相対的に先端側３２に引っ張られることになり、その結果、フック片３の基端側３１が軸支される軸止め２４及び係止軸２５も先端側３２に引っ張られて、一端側２１と他端側２３とが結合した部分も掌側に向けてＶ字状になるからである。この結合部分が掌側に向けてスムーズにＶ字状になり易くして手首にかかる負担を軽減させるためである。
【００２０】
手首に装着されるバンド２に連結されたフック片３は、掌の内側にあって使用され、その先端側３２をつり革ａや図示しない掴み棒に引っ掛けたり、先端側３２で手荷物の把持部ｂを吊り下げたりして、直接手指でつり革ａや図示しない掴み棒を掴んだり、手荷物の把持部ｂを持ったりするのを回避して、不自由な手指や力が衰えた手指にかかる負担をさける機能を果たす。
【００２１】
フック片３は前記したように、その基端側３１がバンド２の他端側２３に軸止め２４によって回転自在に連結されている。このため、フック片３は掌の内側で使用されるが、掌のフック片３が邪魔になる場合にはバンド２を外すことなく、基端側３１を中心にフック片３を回すのみで、掌から邪魔にならない手首側にフック片３を簡単に回転移動させることが可能となる。
【００２２】
フック片３の先端側３２はフック状、つまり先端側３２はＵ字状になっていて、つり革ａや図示しない掴み棒に引っ掛けたり、手荷物の把持部ｂを吊り下げることができる形状になっている。フック片３の先端側３２は基端側３１に比べて途中から幅狭になっていて、引っ掛けや吊り下げが容易になるようになっている。
【００２３】
フック片３の先端側３２のＵ字状になっている内側や必要に応じて外側に、図１（Ｂ）のように例えばゴムや樹脂などの滑り止め材３３が取り付けられているときには、引っ掛けた場合に滑らない工夫が施されている。また、図１（Ｃ）のように、フック片３の基端側３１寄りの部分に、フック片３の湾曲を高めて、適度な膨隆３４を厚み側にもたせる場合には、つり革ａや図示しない掴み棒、手荷物の把持部ｂを掴むときの安定性が増し、多少の”押す力”にも対応することができる。
【００２４】
掌の内側で使用されるフック片３の幅は、図１（Ａ）や図３のように幅広にして、より掴みやすいよう形状や、図２、図４のように幅狭にして掌に隠れるような形状でもよい。フック片３の幅が図１（Ａ）や図３のように幅広の場合には、幅広なフック片３の中間部位を手指で掴みやすく、しかも外部からも見えるので、この場合にはアクセリー感覚で使用できるように、色々なデザインで造られる。
【００２５】
これに対して、フック片３の幅が図２、図４のように幅狭にして掌に隠れるような形状の場合は、掌の内側に入る大きさ、つまり掌で隠せる大きさになっている。掌でフック片３の外周側を包み込むことで、掌の内側にフック片３はすっぽり納まって、フック片３を使用していることを周囲の人に悟らせないことができるようになっている。この場合には、フック片３の色は、フック片３を掌で包み込んだときにあまり目立たない色、例えば肌色などが使用されている。また、フック片３の素材には例えばプラスチック製が使用される。
【００２６】
次に、上記考案を実施するための最良の形態の構成に基づく使用方法について以下説明する。
把持補助具１を手首に装着するには、掌でフック片３の外周側を掴んで、バンド２の一端側２１を手首の周りに回す。手首の周りを一回りしたバンド２の一端側２１には複数のバンド孔２２が形成されている。また、掌でフック片３の外周側を掴むと、フック片３の基端側３１をバンド２の他端側２３に連結する軸止め２４に一体的に形成されている係止軸２５が手首の内側に位置するので、一回りしたバンド２の一端側２１に形成された複数のバンド孔２２の対応する孔２２を係止軸２５に嵌め入れることで、バンド２は手首に簡単に巻かれて、把持補助具１を手首に装着することができる。
【００２７】
把持補助具１を手首に装着した後、把持補助具１を利用して例えば電車やバスのつり革ａや図示しない掴み棒を掴む場合には、把持補助具１のフック片３の外周側を掌で包むように添えてその先端側３２をつり革ａや図示しない掴み棒に引っ掛ける。これにより、手指の不自由な人や手指の力が衰えた老人などでも把持補助具１のフック片３を介してつり革ａや図示しない掴み棒を間接的に掴むことができる。しかもフック片３をつり革ａや図示しない掴み棒に引っ掛けていても、手指には何らの負担がないため、長い時間フック片３を通じてつり革ａや図示しない掴み棒を掴み続けることができる。また、図３のように、フック片３の先端側３２をつり革ａや図示しない掴み棒に一旦引っ掛ければ、手指はフック片３の中間部位を掴むことができ、この場合には手指でもつより掴む方が把持力、引っ張り力が強い。
【００２８】
把持補助具１を手首に装着した後、把持補助具１を利用して例えば重たい鞄やスーパーのレジ袋を持つ場合には、把持補助具１のフック片３の外周側を掌で包むように添えてその先端側３２を鞄やレジ袋の把持部ｂに引っ掛けて吊り下げる。これにより、手指の不自由な人や手指の力が衰えた老人などでも把持補助具１のフック片３を介して鞄やスーパーのレジ袋の把持部ｂを間接的に持つことができる。しかもフック片３で鞄やレジ袋の把持部ｂを吊り下げていても、手指には何らの負担がないため、長い時間フック片３を通じて重たい鞄やスーパーのレジ袋を持ち続けることができる。
【００２９】
この場合、フック片３の先端側３２に吊り下げられた手荷物の把持部ｂを通じて手荷物の重みよってフック片３が全体的に下側に引っ張られ、その際にフック片３の基端側３１が連結される軸止め２４を通じてバンド２全体が手首からずり下がることで手首に負担が掛かる。このとき、掌でフック片３の外周側を支えるように包むことでバンド２を通じて手首に掛かる負担を軽減することができる。これはつり革ａや図示しない掴み棒をフック片３で引っ掛けて掴む場合も同様で、掌でフック片３の外周側を上側から包むように掴むことでバンド２を通じて手首に掛かる負担を軽減することができる。
【００３０】
なお、この考案は上記考案を実施するための最良の形態に限定されるものではなく、この考案の精神を逸脱しない範囲で種々の改変をなし得ることは勿論である。例えば、前記の最良の形態では、バンド２の一端側２１にバンド孔２２が形成されている場合で説明したが、バンド孔２２及び係止軸２５に代えて例えば面ファスナー、ベルトや腕時計などで使用されている止め金ボタン、磁石などを利用して、手首の周りに一回りしたバンド２の一端側２１を他端側２３に止めることができる。面ファスナーの場合には他端側２３にも一端側２１の面ファスナーと雌雄係合する面ファスナーを取り付ける。
【図面の簡単な説明】
【００３１】
【図１】（Ａ）はこの考案を実施するための最良の形態を示す把持補助具の展開平面図である。  （Ｂ）はこの考案を実施するための最良の形態を示す把持補助具の断面図である。  （Ｃ）はこの考案を実施するための最良の形態を示す把持補助具の他例の断面図である。
【図２】この考案を実施するための最良の形態を示す把持補助具を使用してのつり革を掴んでいる時の正面図である。
【図３】この考案を実施するための最良の形態を示す把持補助具を使用してのつり革を掴んでいる時の他例の正面図である。
【図４】この考案を実施するための最良の形態を示す把持補助具を使用してのレジ袋の把持部を持っている時の正面図である。
【符号の説明】
【００３２】
１    把持補助具
２    バンド
２１    一端側
２２    バンド孔
２３    他端側
２４    軸止め
２５    係止軸
３    フック片
３１    基端側
３２    先端側
３３    滑り止め材
３４    膨隆
ａ    つり革
ｂ    把持部
【図１】
0003137833.tif 000003
【図２】
0003137833.tif 000004
【図３】
0003137833.tif 000005
【図４】
0003137833.tif 000006